(57)【要約】【課題】各種電子機器に用いられるスイッチに関し、組立てが容易で、動作の確実なものを提供することを目的とする。【解決手段】レバー１３の揺動によってアーム部１４Ａ一端の接触部１４Ｂが、ケース１１内底面または固定接点１２上を弾接摺動する可動接点１４の、アーム部１４Ａ他端に保持部１４Ｃを設けると共に、この保持部１４Ｃをレバー１３内にインサート成形することによって、可動接点１４がレバー１３に確実に保持されているため、組立ての際、可動接点１４の外れや変形が生じにくく、容易に組立てが行えると共に、操作時の可動接点１４の確実な動作が可能なスイッチを得ることができる。【選択図】図１
2006318851.tif 000002
【特許請求の範囲】
【請求項１】
内底面に固定接点が植設された箱形のケースと、このケース内に一端を支点として揺動可能に収納されたレバーと、このレバーの揺動によってアーム部一端の接触部が、上記ケース内底面または上記固定接点上を弾接摺動する可動接点からなり、上記可動接点のアーム部他端に保持部を設けると共に、この保持部を上記レバー内にインサート成形したスイッチ。
【請求項２】
可動接点の保持部にアーム部と平行方向に延出する舌片部を形成すると共に、この舌片部と保持部をレバー内にインサート成形した請求項１記載のスイッチ。
【発明の詳細な説明】
【技術分野】
【０００１】
本発明は、各種電子機器において、主に記録媒体の有無やメカニズムの動作検出等に用いられるスイッチに関するものである。
【背景技術】
【０００２】
近年、ビデオやパソコン等の各種電子機器の小型化や高機能化が進むなか、これらのテープやディスク等の記録媒体の有無、或いはツマミや扉等のメカニズムの動作検出等に用いられる検出用スイッチにおいても、小型薄型で動作の確実なものが求められている。
【０００３】
このような従来のスイッチについて、図５を用いて説明する。
【０００４】
図５は従来のスイッチの断面図であり、同図において、１は絶縁樹脂製で上面開放の箱形のケース、２は導電金属薄板製の固定接点で、複数の固定接点２がケース１の内底面に植設固定されると共に、その端子部（図示せず）が各々外方へ延出している。
【０００５】
そして、３は絶縁樹脂製のレバーで、左端の支点部３Ａを支点としてケース１内に揺動可能に収納されると共に、右端には上方へ突出する操作部３Ｂが形成されている。
【０００６】
また、４は中間部が折曲された弾性金属薄板製の可動接点で、やや撓んだ状態でケース１内に収納され、一端の接触部４Ａがケース１の内底面に弾接すると共に、他端の係止部４Ｂがレバー３下面の突出部３Ｃに係止されている。
【０００７】
さらに、５は金属薄板製のカバーで、このカバー５がケース１上面の開口部を覆うと共に、カバー５の貫通孔５Ａからレバー３の操作部３Ｂが上方へ突出して、スイッチが構成されている。
【０００８】
なお、このように構成されたスイッチは、先ず、インサート成形等によって内底面に固定接点２が植設固定されたケース１内に、上方から可動接点４を挿入した後、突出部３Ｃを可動接点４の係止部４Ｂに当接させ、可動接点４を撓めながらケース１内にレバー３を収納する。
【０００９】
そして、この後、ケース１上面の開口部をカバー５で覆い、カバー５をケース１外壁等に固着して、スイッチの組立てが行われる。
【００１０】
また、このように製作されたスイッチは、上下面に複数の配線パターンが形成された配線基板（図示せず）上に載置され、ケース１から延出した固定接点２の端子部が、所定の配線パターンに半田付けされて、機器の電子回路に電気的に接続される。
【００１１】
以上の構成において、テープやディスク等の記録媒体の挿抜、或いはツマミや扉等のメカニズムの動作によって、ケース１上方へ突出した操作部３Ｂが下方へ押圧操作されると、レバー３が支点部３Ａを支点として下方へ揺動する。
【００１２】
これによって、可動接点４の中間部が操作部３Ｂ下面に押圧され、ケース１の内底面に弾接した可動接点４端部の接触部４Ａが、左方の固定接点２の方向へケース１内底面上を弾接摺動する。
【００１３】
そして、操作部３Ｂが所定量押圧されると、接触部４Ａが固定接点２上に弾接し、可動接点４を介して複数の固定接点２の電気的接離が行われる。
【００１４】
また、レバー３への操作力が解除されると、可動接点４の弾性復帰力によって、レバー３が上方に押圧されて揺動すると共に、接触部４Ａも固定接点２から右方のケース１内底面へ弾接摺動して、元の状態に復帰するように構成されている。
【００１５】
なお、この出願の発明に関連する先行技術文献情報としては、例えば、特許文献１が知られている。
【特許文献１】特開２００５−２６０３５号公報
【発明の開示】
【発明が解決しようとする課題】
【００１６】
しかしながら、上記従来のスイッチにおいては、組立てを行う際、ケース１内に可動接点４を挿入した後、この可動接点４を突出部３Ｃで撓めながらケース１内にレバー３を収納しているため、可動接点４の外れや変形が生じ易く、製作にも時間を要するという課題があった。
【００１７】
本発明は、このような従来の課題を解決するものであり、組立てが容易で、動作の確実なスイッチを提供することを目的とする。
【課題を解決するための手段】
【００１８】
上記目的を達成するために本発明は、以下の構成を有するものである。
【００１９】
本発明の請求項１に記載の発明は、レバーの揺動によってアーム部一端の接触部が、ケース内底面または固定接点上を弾接摺動する可動接点の、アーム部他端に保持部を設けると共に、この保持部をレバー内にインサート成形したものであり、可動接点の一端がレバー内にインサート成形され、確実にレバーに保持されているため、組立ての際、可動接点の外れや変形が生じにくく、容易に組立てが行えると共に、操作時の可動接点の確実な動作が可能なスイッチを得ることができるという作用を有する。
【００２０】
請求項２に記載の発明は、請求項１記載の発明において、可動接点の保持部にアーム部と平行方向に延出する舌片部を形成すると共に、この舌片部と保持部をレバー内にインサート成形したものであり、可動接点のレバー内へのインサート保持が、舌片部によってより強固なものとなるため、操作時の可動接点の動作がより確実となり、安定した電気的接離を行うことができるという作用を有する。
【発明の効果】
【００２１】
以上のように本発明によれば、組立てが容易で、動作の確実なスイッチを実現することができるという有利な効果が得られる。
【発明を実施するための最良の形態】
【００２２】
以下、本発明の実施の形態について、図１〜図４を用いて説明する。
【００２３】
（実施の形態）
図１は本発明の一実施の形態によるスイッチの断面図、図２は同分解斜視図、図３は同要部分解斜視図であり、同図において、１１は液晶ポリマーやポリフェニレンサルファイド等の絶縁樹脂製で上面開放の箱形のケース、１２は銅合金等の導電金属薄板製の固定接点で、複数の固定接点１２がケース１１の内底面にインサート成形等によって植設固定されると共に、その端子部が各々外方へ延出している。
【００２４】
そして、１３は液晶ポリマーやナイロン等の絶縁樹脂製のレバーで、左端の支点部１３Ａを支点としてケース１１内に揺動可能に収納されると共に、右端には上方へ突出する操作部１３Ｂが形成されている。
【００２５】
また、１４は銅合金等の弾性金属薄板製の可動接点で、二つのアーム部１４Ａがやや撓んだ状態でケース１１内に収納され、このアーム部１４Ａ左端には、ケース１１の内底面に弾接する略円弧状の接触部１４Ｂが形成されると共に、右端には二つのアーム部１４Ａを連結する保持部１４Ｃが設けられ、この保持部１４Ｃの中間部が、レバー１３の操作部１３Ｂ下方内にインサート成形されている。
【００２６】
さらに、可動接点１４の保持部１４Ｃには、中央にアーム部１４Ａと平行方向に延出する舌片部１４Ｄが設けられ、この舌片部１４Ｄも保持部１４Ｃと共にレバー１３内にインサート成形されている。
【００２７】
そして、１５は銅板等の金属薄板製のカバーで、このカバー１５がケース１１上面の開口部を覆うと共に、カバー１５の貫通孔１５Ａからレバー１３の操作部１３Ｂが上方へ突出して、スイッチが構成されている。
【００２８】
なお、このように構成されたスイッチは、先ず、ケース１１内底面にインサート成形等によって固定接点１２を植設固定すると共に、レバー１３の操作部１３Ｂ下方に可動接点１４の保持部１４Ｃと舌片部１４Ｄをインサート成形して、レバー１３下面に可動接点１４を固着保持し一体化する。
【００２９】
そして、この一体化されたレバー１３と可動接点１４を、上方からケース１１内に挿入し、アーム部１４Ａを撓めながらケース１１内にレバー１３を収納した後、ケース１１上面の開口部をカバー１５で覆い、カバー１５をケース１１外壁等に固着して、スイッチの組立てが行われる。
【００３０】
つまり、固定接点１２が植設されたケース１１と、可動接点１４がインサート成形されたレバー１３、及びカバー１５の三つの部品だけで、スイッチの組立てが行われるように構成されている。
【００３１】
また、この時、可動接点１４は右端の保持部１４Ｃと舌片部１４Ｄが、レバー１３内にインサート成形され、確実にレバー１３に固着保持されているため、レバー１３をケース１１内に上方から挿入するだけで、滑らかにアーム部１４Ａが撓んで組立てが行えるようになっている。
【００３２】
つまり、スイッチの組立てを行う際、可動接点１４のレバー１３からの外れや変形が生じにくく、組立てが容易に行えると共に、操作時の可動接点１４の動作が確実に行われるように形成されている。
【００３３】
また、このように製作されたスイッチは、上下面に複数の配線パターンが形成された配線基板（図示せず）上に載置され、ケース１１から延出した固定接点１２の端子部が、所定の配線パターンに半田付けされて、機器の電子回路に電気的に接続される。
【００３４】
以上の構成において、テープやディスク等の記録媒体の挿抜、或いはツマミや扉等のメカニズムの動作によって、ケース１１上方へ突出した操作部１３Ｂが下方へ押圧操作されると、図４の断面図に示すように、レバー１３が支点部１３Ａを支点として下方へ揺動する。
【００３５】
そして、このレバー１３の揺動に伴って、レバー１３下面に右端が固着保持された可動接点１４左端の接触部１４Ｂが、左方の固定接点１２の方向へケース１１内底面上を弾接摺動し、操作部１３Ｂが所定量押圧されると、接触部１４Ｂが固定接点１２上に弾接し、可動接点１４を介して複数の固定接点１２の電気的接離が行われる。
【００３６】
また、レバー１３への操作力が解除されると、可動接点１４の弾性復帰力によって、レバー１３が上方に押圧されて揺動すると共に、接触部１４Ｂも固定接点１２から右方のケース１１内底面へ弾接摺動して、図１に示した元の状態に復帰する。
【００３７】
なお、この時、可動接点１４は保持部１４Ｃに加え舌片部１４Ｄもレバー１３内にインサート成形され、可動接点１４のレバー１３内へのインサート保持が、舌片部１４Ｄによってより強固なものとなっているため、レバー１３の揺動操作を繰返した場合にも、レバー１３からの可動接点１４の脱落や剥がれのないように形成されている。
【００３８】
つまり、舌片部１４Ｄによって、揺動操作時の可動接点１４の動作がより確実となり、固定接点１２との安定した電気的接離を行うことができるように構成されている。
【００３９】
このように本実施の形態によれば、レバー１３の揺動によってアーム部１４Ａ一端の接触部１４Ｂが、ケース１１内底面または固定接点１２上を弾接摺動する可動接点１４の、アーム部１４Ａ他端に保持部１４Ｃを設けると共に、この保持部１４Ｃをレバー１３内にインサート成形することによって、可動接点１４がレバー１３に確実に保持されているため、組立ての際、可動接点１４の外れや変形が生じにくく、容易に組立てが行えると共に、操作時の可動接点１４の確実な動作が可能なスイッチを得ることができるものである。
【００４０】
また、可動接点１４の保持部１４Ｃにアーム部１４Ａと平行方向に延出する舌片部１４Ｄを形成すると共に、この舌片部１４Ｄと保持部１４Ｃをレバー１３内にインサート成形することによって、可動接点１４のレバー１３内へのインサート保持がより強固なものとなるため、操作時の可動接点１４の動作がより確実となり、安定した電気的接離を行うことができる。
【産業上の利用可能性】
【００４１】
本発明によるスイッチは、組立てが容易で、動作の確実なものを得ることができ、主に各種電子機器に使用される検出用スイッチとして有用である。
【図面の簡単な説明】
【００４２】
【図１】本発明の一実施の形態によるスイッチの断面図
【図２】同分解斜視図
【図３】同要部分解斜視図
【図４】同操作時の断面図
【図５】従来のスイッチの断面図
【符号の説明】
【００４３】
１１  ケース
１２  固定接点
１３  レバー
１３Ａ  支点部
１３Ｂ  操作部
１４  可動接点
１４Ａ  アーム部
１４Ｂ  接触部
１４Ｃ  保持部
１４Ｄ  舌片部
１５  カバー
１５Ａ  貫通孔
【図１】
2006318851.tif 000003
【図２】
2006318851.tif 000004
【図３】
2006318851.tif 000005
【図４】
2006318851.tif 000006
【図５】
2006318851.tif 000007